(57)【特許請求の範囲】
【請求項１】
所有している電化製品に読み込ませ所定の動作を行わせるための情報であって、当該電化製品において使っている機能、としての制御情報を基に製品情報を抽出し表示できる装置であって、
情報を記憶するための情報の記憶手段と、
情報を処理するための情報の処理手段と、
記憶媒体から情報を読み込むための情報の読込手段と、
情報を表示するための情報の表示手段と、
からなり、
前記処理手段が、
前記読込手段を用いて記憶媒体から制御情報を読み込むステップと、
記憶媒体から読み込んだ制御情報を基に製品情報の抽出を行うステップと、
抽出した製品情報を、前記表示手段を用いて表示するステップと、
を実行できることを特徴とする、製品情報の抽出表示装置。
【請求項２】
所有している電化製品に読み込ませ所定の動作を行わせるための情報であって、当該電化製品において使っている機能、としての制御情報を基に製品情報を抽出し表示する方法であって、
情報を記憶するための情報の記憶手段と、
情報を処理するための情報の処理手段と、
記憶媒体から情報を読み込むための情報の読込手段と、
情報を表示するための情報の表示手段と、
からなる製品情報の抽出表示装置によってなされ、
前記読込手段を用いて記憶媒体から制御情報を読み込むステップと、
記憶媒体から読み込んだ制御情報を基に製品情報の抽出を行うステップと、
抽出した製品情報を、前記表示手段を用いて表示するステップと、
を含むことを特徴とする、製品情報の抽出表示方法。
【請求項３】
所有している電化製品に読み込ませ所定の動作を行わせるための情報であって、当該電化製品において使っている機能、としての制御情報を基に製品情報を抽出し表示できる装置であって、
情報を記憶するための情報の記憶手段と、
情報を処理するための情報の処理手段と、
記憶媒体から情報を読み込むための情報の読込手段と、
情報を表示するための情報の表示手段と、
記憶媒体に情報を書き込むための情報の書込手段と、
からなり、
前記処理手段が、
前記読込手段を用いて記憶媒体から制御情報を読み込むステップと、
記憶媒体から読み込んだ制御情報を基に、電化製品に読み込ませ所定の動作を行わせるための情報としての制御情報、を含む製品情報の抽出を行うステップと、
抽出した制御情報を含む製品情報を、前記表示手段を用いて表示するステップと、
抽出した制御情報を、前記書込手段を用いて記憶媒体に書き込むステップと、
を実行できることを特徴とする、製品情報の抽出表示装置。
【請求項４】
所有している電化製品に読み込ませ所定の動作を行わせるための情報であって、当該電化製品において使っている機能、としてのキー情報を基に製品情報を抽出し表示できる装置であって、
情報を記憶するための情報の記憶手段と、
情報を処理するための情報の処理手段と、
記憶媒体から情報を読み込むための情報の読込手段と、
情報を表示するための情報の表示手段と、
からなり、
前記処理手段が、
前記読込手段を用いて記憶媒体からキー情報を読み込むステップと、
記憶媒体から読み込んだキー情報を基に製品情報の抽出を行うステップと、
抽出した製品情報を、前記表示手段を用いて表示するステップと、
を実行できることを特徴とする、製品情報の抽出表示装置。
【請求項５】
所有している電化製品に読み込ませ所定の動作を行わせるための情報であって、当該電化製品において使っている機能、としてのキー情報を基に製品情報を抽出し表示する方法であって、
情報を記憶するための情報の記憶手段と、
情報を処理するための情報の処理手段と、
記憶媒体から情報を読み込むための情報の読込手段と、
情報を表示するための情報の表示手段と、
からなる製品情報の抽出表示装置によってなされ、
前記読込手段を用いて記憶媒体からキー情報を読み込むステップと、
記憶媒体から読み込んだキー情報を基に製品情報の抽出を行うステップと、
抽出した製品情報を、前記表示手段を用いて表示するステップと、
を含むことを特徴とする、製品情報の抽出表示方法。
【請求項６】
所有している電化製品に読み込ませ所定の動作を行わせるための情報であって、当該電化製品において使っている機能、としてのキー情報を基に製品情報を抽出し表示できる装置であって、
情報を記憶するための情報の記憶手段と、
情報を処理するための情報の処理手段と、
記憶媒体から情報を読み込むための情報の読込手段と、
情報を表示するための情報の表示手段と、
記憶媒体に情報を書き込むための情報の書込手段と、
からなり、
前記処理手段が、
前記読込手段を用いて記憶媒体からキー情報を読み込むステップと、
記憶媒体から読み込んだキー情報を基に、電化製品に読み込ませ所定の動作を行わせるための情報としての制御情報、を含む製品情報の抽出を行うステップと、
抽出した制御情報を含む製品情報を、前記表示手段を用いて表示するステップと、
抽出した制御情報を、前記書込手段を用いて記憶媒体に書き込むステップと、
を実行できることを特徴とする、製品情報の抽出表示装置。
【発明の詳細な説明】
【技術分野】
【０００１】
本発明は、主に、電化製品の検索方法に関するものである。
【背景技術】
【０００２】
従来、家電製品および電気制御可能な製品（以下両方を合わせて説明の便宜上電化製品とする）、は周知の制御方法によって制御されている。
（例えば非特許文献１、特許文献２、非特許文献３、非特許文献４、参照）  
【０００３】
電化製品としては周知の物として、映像を表示するためのテレビ、映像を録画するための録画用デッキ、録画された映像を再生するための再生用デッキ、洗濯をするための
洗濯機、乾燥をするための乾燥機、洗濯および乾燥をするための洗濯乾燥機、加熱調理をするための電子レンジ、加熱調理をするためのオーブントースター、パソコン、カメラ、扇風機、ファンヒーター、オイルヒーター、空気清浄機、除湿機、マッサージ機、室温や湿度を調整するためのエアコン、などがあり、上記以外にも周知の物が多くある。
（例えば非特許文献２、非特許文献３、非特許文献４、参照）
また、スマート家電といった、携帯端末を用いて操作可能な電化製品がある。
【０００４】
制御情報（プログラム）を、記憶媒体（ＩＣカード）に出力（書き戻す）することができるＩＣカード対応の電化製品（家電）がある。
（例えば特許文献１参照）
【先行技術文献】
【特許文献】
【０００５】
【特許文献１】特開２００６−３０２００８号公報
【非特許文献】
【０００６】
【非特許文献１】門田和雄著、「今日からモノ知りシリーズトコトンやさしい制御の本」日刊工業新聞社出版、２０１１年７月２８日発行、１０‐１５６頁
【非特許文献２】佐藤銀平著、「化学のはたらきシリーズ第１巻「家電製品がわかる１」-アインシュタインの冷蔵庫-」東京書籍株式会社出版、２００８年１月３０日、１２‐２１６頁
【非特許文献３】佐藤銀平著、「化学のはたらきシリーズ第２巻「家電製品がわかる２」-相対性理論で正しく動くＧＰＳ-」東京書籍株式会社出版、２００８年１月３０日、２‐２１７頁
【非特許文献４】安藤龍男発行、「家電製品エンジニア資格生活家電の基礎と製品技術」日本放送出版協会発行、２００１年５月３０日、１‐４３７頁
【発明の概要】
【発明が解決しようとする課題】
【０００７】
本発明は、新たに製品を購入（取得）する際に、普段使用している機能から製品を探せるようにし、使用者が製品を探す際の負担を減らすことを目的としている。
【０００８】
また、電化製品は、買換えなどにより機種が変わると、操作方法が変わり、新たに操作方法を覚える必要があり、使用者にとっては負担となっていた。
【課題を解決するための手段】
【０００９】
課題を解決するための請求項１記載の製品情報の抽出表示装置は、所有している電化製品において使っている機能、としての制御情報を基に製品情報を抽出し表示できる装置であって、情報を記憶するための情報の記憶手段と、情報を処理するための情報の処理手段と、
記憶媒体から情報を読み込むための情報の読込手段と、情報を表示するための情報の表示手段と、からなり、前記処理手段が、前記読込手段を用いて記憶媒体から制御情報を読み込むステップと、記憶媒体から読み込んだ制御情報を基に製品情報の抽出を行うステップと、抽出した製品情報を、前記表示手段を用いて表示するステップと、を実行できることを特徴としている。
【００１０】
課題を解決するための請求項２記載の製品情報の抽出表示方法は、所有している電化製品において使っている機能、としての制御情報を基に製品情報を抽出し表示する方法であって、情報を記憶するための情報の記憶手段と、情報を処理するための情報の処理手段と、記憶媒体から情報を読み込むための情報の読込手段と、情報を表示するための情報の表示手段と、からなる製品情報の抽出表示装置によってなされ、前記読込手段を用いて記憶媒体から制御情報を読み込むステップと、記憶媒体から読み込んだ制御情報を基に製品情報の抽出を行うステップと、抽出した製品情報を、前記表示手段を用いて表示するステップと、を含むことを特徴としている。
【００１１】
課題を解決するための請求項３記載の製品情報の抽出表示装置は、所有している電化製品において使っている機能、としての制御情報を基に製品情報を抽出し表示できる装置であって、情報を記憶するための情報の記憶手段と、情報を処理するための情報の処理手段と、記憶媒体から情報を読み込むための情報の読込手段と、情報を表示するための情報の表示手段と、記憶媒体に情報を書き込むための情報の書込手段と、からなり、前記処理手段が、前記読込手段を用いて記憶媒体から制御情報を読み込むステップと、記憶媒体から読み込んだ制御情報を基に、制御情報を含む製品情報の抽出を行うステップと、抽出した制御情報を含む製品情報を、前記表示手段を用いて表示するステップと、抽出した制御情報を、前記書込手段を用いて記憶媒体に書き込むステップと、を実行できることを特徴としている。
【００１２】
課題を解決するための請求項４記載の製品情報の抽出表示装置は、所有している電化製品において使っている機能、としてのキー情報を基に製品情報を抽出し表示できる装置であって、情報を記憶するための情報の記憶手段と、情報を処理するための情報の処理手段と、
記憶媒体から情報を読み込むための情報の読込手段と、情報を表示するための情報の表示手段と、からなり、前記処理手段が、前記読込手段を用いて記憶媒体からキー情報を読み込むステップと、記憶媒体から読み込んだキー情報を基に製品情報の抽出を行うステップと、抽出した製品情報を、前記表示手段を用いて表示するステップと、を実行できることを特徴としている。
【００１３】
課題を解決するための請求項５記載の製品情報の抽出表示方法は、所有している電化製品において使っている機能、としてのキー情報を基に製品情報を抽出し表示する方法であって、情報を記憶するための情報の記憶手段と、情報を処理するための情報の処理手段と、記憶媒体から情報を読み込むための情報の読込手段と、情報を表示するための情報の表示手段と、からなる製品情報の抽出表示装置によってなされ、前記読込手段を用いて記憶媒体からキー情報を読み込むステップと、記憶媒体から読み込んだキー情報を基に製品情報の抽出を行うステップと、抽出した製品情報を、前記表示手段を用いて表示するステップと、を含むことを特徴としている。
【００１４】
課題を解決するための請求項６記載の製品情報の抽出表示装置は、所有している電化製品において使っている機能、としてのキー情報を基に製品情報を抽出し表示できる装置であって、情報を記憶するための情報の記憶手段と、情報を処理するための情報の処理手段と、記憶媒体から情報を読み込むための情報の読込手段と、情報を表示するための情報の表示手段と、記憶媒体に情報を書き込むための情報の書込手段と、からなり、前記処理手段が、前記読込手段を用いて記憶媒体からキー情報を読み込むステップと、記憶媒体から読み込んだキー情報を基に、制御情報を含む製品情報の抽出を行うステップと、抽出した制御情報を含む製品情報を、前記表示手段を用いて表示するステップと、抽出した制御情報を、前記書込手段を用いて記憶媒体に書き込むステップと、を実行できることを特徴としている。
【発明の効果】
【００１５】
上述したように本発明の製品情報の抽出表示装置は、新たに製品を購入（取得）する際に、普段使用している機能から製品を探すことができ、使用者が製品を探す際の負担を減らすことができる。
【００１６】
上述したように買換え前の電化製品の制御に関する情報から、買換え後の電化製品の制御に関する情報を容易に得ることができるようになり、買い替えなどによる使用者の負担を減らすことができる。
【発明を実施するための形態】
【００１７】
製品情報の抽出表示装置を、制御情報の読込手段と、記憶手段と、表示手段と、情報の処理手段と、から、記憶媒体から制御情報を読込み、読み込んだ制御情報を基に製品情報を抽出し表示するように構成する。
【００１８】
製品情報の抽出表示装置は、所有している電化製品において、どのような機能を使っているかを基に製品情報を抽出し表示するものである。
【００１９】
読込手段は、情報を、記憶媒体から読み込むための物である。読込手段は周知の物があり、最適な物を用いればよく、詳細な説明を省略するが、例えば、周知の物としてＩＣカードリーダ、メモリカードリーダ、ＵＳＢメモリリーダ、ディスクドライブ、ＭＯ、などがある。読込手段の種類により読み込み可能な状態が異なるが、説明の便宜上、読込手段による情報の読み込みが可能な状態にすることを、以下、読込手段にセットする、とする。
【００２０】
読込手段にセットする、の例としては、読込手段が非接触型の読込手段の場合は読込位置に記憶媒体を持っていき読み込みを待つ、読込手段が接触型の読込手段の場合は記憶媒体を読込手段に接続し読み込みを待つ、ようにすればよい。
【００２１】
情報の記憶手段は、情報を記憶するための物である。情報の記憶手段は周知の物があり、最適な物を用いればよく、詳細な説明を省略するが、例えば、周知の物としてメモリ、記憶装置、主記憶装置、補助記憶装置、ハードディスク、などがある。
【００２２】
記憶手段には予め製品情報を記憶しておくか、ネットワークの接続手段を具備し、ネットワークを介して製品情報を取得し記憶手段に記憶できるようにする。制御情報毎に、製品情報として、製品の性能などの情報、機能（制御情報）、など製品に関する情報を予め関連づけて記憶しておき、制御情報毎に、製品情報としての、製品の性能などの情報、機能（制御情報）、など製品に関する情報を抽出できるようにする。
【００２３】
表示手段は、情報を表示するための物である。表示手段は周知の物があり、最適な物を用いればよく、詳細な説明を省略するが、例えば周知のものとしてディスプレイ、液晶ディスプレイ、有機ＥＬディスプレイ、プラズマディスプレイ、３Ｄディスプレイ、タッチパネル、などがある。
【００２４】
情報の処理手段は、制御に関する情報の処理を行うための物である。情報の処理手段は周知の物があり、最適な物を用いればよく、詳細な説明を省略するが、例えば、周知のものとしてＣＰＵ（制御/演算装置）、ＭＰＵ（制御/演算装置）などがある。
【００２５】
記憶媒体は、製品情報の抽出表示装置の記憶手段とは別に制御情報を記憶するための物である。記憶媒体は周知の物があり、最適な物を用いればよく、詳細な説明を省略するが、例えば、周知の物としてＩＣカード、メモリカード、ＵＳＢメモリ、光ディスク、ＭＯ、などがある。
【００２６】
操作手段は、操作を行うための物である。操作手段は周知の物があり、最適な物を用いればよく、詳細な説明を省略するが、例えば、周知の物として、スイッチ、リモートコントローラー、タッチパネル、キーボードなどがある。
操作手段を用いて操作を行い所定の制御および情報の処理を実行する方法は周知であり、本発明の特徴とする部分では無く省略するが、操作に応じて所定の制御および情報の処理が行われるのであれば形状や構成を限定する物ではない。このときの制御および情報の処理などは、情報の処理手段が制御および処理し、制御および処理のためのプログラムは予め記憶手段に記憶しておく。
【００２７】
制御情報は、電化製品を制御するためのプログラムや、電化製品を制御するためのプログラムを選択するためのキー情報や、など制御情報を読み込んだ電化製品が、所定の動作を行うことができる物であればよい。
【００２８】
制御情報をプログラムとする場合は、操作（読込手段にセットする）に応じてどのプログラムを出力(書込み)するか、を予め記憶手段に記憶しておき、操作に応じたプログラムを出力（書込み）する。
【００２９】
制御情報をキー情報とする場合は、操作（読込手段にセットする）に応じてどのキー情報を出力するか、を予め記憶手段に記憶しておき、操作に応じたキー情報を出力する。キー情報は識別子のような情報で良い。例えば、キー情報をＡ１２３４５対応するプログラムがプログラムＡ、キー情報をＢ５６７８９対応するプログラムがプログラムＢのようにキー情報毎に対応するプログラムを予め設定しておく。また、キー情報に電化製品の種類や型番を特定するための情報を含むようにし、より細かにプログラムとの対応関係を設定しても良い。
【００３０】
製品情報の抽出表示装置は、記憶媒体に記憶されている制御情報を基に、製品情報を抽出し表示する。
【００３１】
製品情報の出力の流れの一例を以下に説明する。
１）   記憶媒体を読込手段にセットする。
２）   情報の処理手段は、読込手段を用いて、記憶媒体から制御情報を読み込む。
３）   情報の処理手段は、読み込んだ制御情報を基に製品情報を記憶手段から抽出する。
４）   情報の処理手段は、抽出した製品情報を、表示手段を用いて表示する。
【００３２】
また書込手段を具備し、記憶媒体に機能（制御情報）を書き込めるようにすることがより望ましい。
【００３３】
書込手段は、電化製品を制御するための情報としての制御情報を、記憶媒体に書込む（保存する、記憶する）ための物である。書き込み手段は周知の物があり、最適な物を用いればよく、詳細な説明を省略するが、例えば、周知の物としてICカードライタ、メモリカードライタ、ＵＳＢメモリライタ、ディスクドライブ、ＭＯ，などがある。書込手段の種類により書込み可能な状態が異なるが、説明の便宜上、書込手段による情報の書き込みが可能な状態にすることを、以下、書込手段にセットする、とする。
【００３４】
書込手段にセットする、の例としては、書込手段が非接触型の書込手段の場合は書込み位置に記憶媒体を持っていき書込みを待つ、書込手段が接触型の書込手段の場合は記憶媒体を書込手段に接続し書込みを待つ、ようにすればよい。
【要約】      （修正有）【課題】新たに製品を購入する際に、普段使用している機能から製品を探せるようにし、使用者が製品を探す際の負担を減らす、電化製品の検索方法を提供する。【解決手段】製品情報の抽出表示装置は、所有している電化製品において使っている機能（制御情報）を基に製品情報を抽出し表示する。抽出表示装置は、情報を記憶するための記憶手段と、情報を処理するための処理手段と、記憶媒体から情報を読み込むための読込手段と、情報を表示するための表示手段と、からなり、処理手段が読込手段を用いて記憶媒体から制御情報を読み込むステップと、記憶媒体から読み込んだ制御情報を基に製品情報の抽出を行うステップと、抽出した製品情報を、表示手段を用いて表示するステップと、を備える。【選択図】なし